(57)【要約】【課題】外乱ノイズに起因するノイズ成分を精度よく、かつ、再現性よく低減し、高画質の放射線画像を撮影できる放射線画像処理装置、放射線画像処理方法及び放射線検出装置を提供する。【解決手段】放射線画像処理装置は、光電変換素子及びＴＦＴスイッチを有する放射線検出装置で検出された放射線画像信号に含まれる外乱ノイズに起因するノイズ成分を除去するための放射線画像処理装置であって、外乱ノイズを検出するノイズ検出部と、ノイズ成分の水平方向の強度分布を示し、外乱ノイズの到来方向によって変化する水平プロファイルを取得する水平プロファイル取得部と、ノイズ検出部の検出結果に基づいて、ノイズ成分の垂直方向の強度分布を示す垂直プロファイルを取得する垂直プロファイル取得部と、水平プロファイル及び垂直プロファイルを用いて、放射線画像信号を補正する補正部と、備える。【選択図】図６
2020201229.tif 000002
【特許請求の範囲】
【請求項１】
マトリックス状に配置された光電変換素子及び前記光電変換素子に対応して配置されたＴＦＴスイッチを有する放射線検出装置で検出された放射線画像信号に含まれる外乱ノイズに起因するノイズ成分を除去するための放射線画像処理装置であって、
外乱ノイズを検出するノイズ検出部と、
前記ノイズ成分の水平方向の強度分布を示し、前記外乱ノイズの到来方向によって変化する水平プロファイルを取得する水平プロファイル取得部と、
前記ノイズ検出部の検出結果に基づいて、前記ノイズ成分の垂直方向の強度分布を示す垂直プロファイルを取得する垂直プロファイル取得部と、
前記水平プロファイル及び前記垂直プロファイルを用いて、前記放射線画像信号を補正する補正部と、
を備える放射線画像処理装置。
【請求項２】
前記水平プロファイル取得部は、前記外乱ノイズの到来方向に応じて予め設定された複数の前記水平プロファイルの中から、前記ノイズ検出部の検出結果に基づいて、補正に用いる前記水平プロファイルを選択する、請求項１に記載の放射線画像処理装置。
【請求項３】
前記ノイズ検出部は、前記ＴＦＴスイッチのバイアス線と結合したノイズ成分を検出するバイアス線ノイズ検出部、前記ＴＦＴスイッチのゲート線と結合したノイズ成分を検出するゲート線ノイズ検出部、前記ＴＦＴスイッチの信号線と結合したノイズ成分を検出する信号線ノイズ検出部、及び３軸磁気センサーのうちの少なくとも一つを含む、請求項１又は２に記載の放射線画像処理装置。
【請求項４】
前記放射線検出装置は、前記ＴＦＴスイッチのゲートを駆動するゲート駆動回路及び前記ＴＦＴスイッチに接続された信号線から信号値を読み出す信号読出回路を有し、
前記水平プロファイル取得部は、前記ゲート駆動回路を駆動していないときに前記信号読出回路で読み出される信号値に基づいて、補正に用いる前記水平プロファイルを生成する、請求項１から３のいずれか一項に記載の放射線画像処理装置。
【請求項５】
前記垂直プロファイル取得部は、撮影前に前記ノイズ検出部の検出結果と当該検出結果に基づく基準垂直プロファイルの相関関係を予め取得し、撮影時に得られる前記ノイズ検出部の検出結果と前記相関関係とに基づいて、補正に用いる前記垂直プロファイルを生成する、請求項１から４のいずれか一項に記載の放射線画像処理装置。
【請求項６】
マトリックス状に配置された光電変換素子及び前記光電変換素子に対応して配置されたＴＦＴスイッチを有する放射線検出装置で検出された放射線画像信号に含まれる外乱ノイズに起因するノイズ成分を除去するための放射線画像処理方法であって、
前記放射線画像信号を取得する工程と、
前記外乱ノイズを検出する工程と、
前記ノイズ成分の水平方向の強度分布を示し、前記外乱ノイズの到来方向によって変化する水平プロファイルを取得する工程と、
前記外乱ノイズの垂直方向の強度分布を示す垂直プロファイルを取得する工程と、
前記水平プロファイル及び前記垂直プロファイルを用いて、前記放射線画像信号を補正する工程と、
を備える放射線画像処理方法。
【請求項７】
マトリックス状に配置された光電変換素子及び前記光電変換素子に対応して配置されたＴＦＴスイッチを有し、外乱ノイズに起因するノイズ成分を含む放射線画像信号を検出する放射線検出部と、
前記外乱ノイズを検出するノイズ検出部と、
前記ノイズ成分の水平方向の強度分布を示し、前記外乱ノイズの到来方向によって変化する水平プロファイルを取得する水平プロファイル取得部と、
前記外乱ノイズの垂直方向の強度分布を示す垂直プロファイルを取得する垂直プロファイル取得部と、
前記水平プロファイル及び前記垂直プロファイルを用いて、前記放射線画像信号を補正する補正部と、
を備える放射線検出装置。
【発明の詳細な説明】
【技術分野】
【０００１】
本発明は、放射線画像処理装置、放射線画像処理方法及び放射線検出装置に関し、特に、外来の交流磁界に起因する画像ノイズを低減する補正技術に関する。
【背景技術】
【０００２】
従来、医療分野では、被検体に放射線（例えば、Ｘ線）を照射することにより放射線画像を撮影する放射線撮影システム（例えば、Ｘ線撮影システム）を利用した画像診断が行われている。
Ｘ線撮影システムは、Ｘ線を発生し被検体に向けて照射するＸ線発生装置、被検体を透過したＸ線の入線量に基づいてＸ線画像を撮影するＸ線検出装置、及び、Ｘ線検出装置の動作を制御するとともに得られたＸ線画像データに対して所定の処理（例えば、画像処理及び表示制御処理）を行う撮影用制御装置等を備える。
【０００３】
Ｘ線撮影システムにおいて、Ｘ線検出装置として普及しているフラットパネルディテクター（ＦＰＤ：Flat Panel Detector）は、散乱Ｘ線除去用グリッド（以下、単に「グリッド」と称する）とともに使用されることが多く、グリッドによる陰影（いわゆるグリッド縞）を低減させるために、ムービンググリッド装置によりグリッドを移動させながら撮影する場合もある。ムービンググリッド装置は、ＦＰＤの近傍に設置されるが、このような環境では、ムービンググリッド装置から輻射される交流磁界（外乱ノイズ）が、撮影された画像に横縞状の画像ノイズとして描出される。ＦＰＤは、光電変換素子により微小な電荷を検出するため、上述したような外乱ノイズの影響を考慮する必要がある。
外乱ノイズは、主に、ムービンググリッド装置等の大電力装置のモーターやインバーターなどから発生し、その周波数は、商用周波数付近の低周波数帯から、ＭＨｚオーダーの高周波数帯にわたる。特に、低周波数の外乱ノイズは、高周波数の外乱ノイズに比較して、高透磁率シート等の対策部材による遮断性能が低いため、Ｘ線画像に画像ノイズとして残存しやすい。
【０００４】
このようなＸ線画像に対する外乱ノイズの影響を低減する技術として、例えば、特許文献１〜４がある。特許文献１〜３には、Ｘ線を放射して撮影した本画像と、Ｘ線を放射せずに撮影した暗画像の差分を利用して外乱ノイズの影響を除去する技術が開示されている。また、特許文献４には、外乱ノイズの到来方向を特定する技術が開示されている。
【先行技術文献】
【特許文献】
【０００５】
【特許文献１】特開２０１２−１１９７７０号公報
【特許文献２】特開２０１３−２５５６９５号公報
【特許文献３】特開２００５−１７７１１３号公報
【特許文献４】特開２０１３−２３３２８４号公報
【発明の概要】
【発明が解決しようとする課題】
【０００６】
しかしながら、特許文献１、２では、本画像と暗画像の撮影タイミングが異なり、本画像と暗画像が同じ外乱ノイズの影響を受けていないと、適切にノイズ成分が除去されず、正常なＸ線画像が得られない虞がある。また、特許文献１では、外乱ノイズの周波数自体がばらつくことが考慮されておらず、撮影間隔を固定化すると、補正が過剰になる虞がある。
特許文献３では、信号の読出周期と同等の周波数帯（通常、数ｋＨｚ〜数十ｋＨｚ）の外乱ノイズに対しては、サンプルホールドタイミングを合わせることにより外乱ノイズの影響を低減しやすいが、商用周波数等の低周波数帯やＭＨｚオーダーの高周波数帯の外乱ノイズに対しては、十分な効果が得られない虞がある。
また、特許文献４では、外乱ノイズの到来方向に基づいてノイズ発生源を特定できるが、ユーザーがノイズ発生源を遠ざけて対応する必要があるため利便性が悪く、ムービンググリッド装置のように放射線撮影に必要な装置がノイズ発生源である場合は、ＦＰＤの近傍に設置する必要があるために対応することができない。
【０００７】
本発明の目的は、放射線画像に含まれている外乱ノイズに起因するノイズ成分を精度よく、かつ、再現性よく低減し、高画質の放射線画像を撮影できる放射線画像処理装置、放射線画像処理方法及び放射線検出装置を提供することである。
【課題を解決するための手段】
【０００８】
本発明に係る放射線画像処理装置は、
マトリックス状に配置された光電変換素子及び前記光電変換素子に対応して配置されたＴＦＴスイッチを有する放射線検出装置で検出された放射線画像信号に含まれる外乱ノイズに起因するノイズ成分を除去するための放射線画像処理装置であって、
外乱ノイズを検出するノイズ検出部と、
前記ノイズ成分の水平方向の強度分布を示し、前記外乱ノイズの到来方向によって変化する水平プロファイルを取得する水平プロファイル取得部と、
前記ノイズ検出部の検出結果に基づいて、前記ノイズ成分の垂直方向の強度分布を示す垂直プロファイルを取得する垂直プロファイル取得部と、
前記水平プロファイル及び前記垂直プロファイルを用いて、前記放射線画像信号を補正する補正部と、を備える。
【０００９】
本発明に係る放射線画像処理方法は、
マトリックス状に配置された光電変換素子及び前記光電変換素子に対応して配置されたＴＦＴスイッチを有する放射線検出装置で検出された放射線画像信号に含まれる外乱ノイズに起因するノイズ成分を除去するための放射線画像処理方法であって、
前記放射線画像信号を取得する工程と、
前記外乱ノイズを検出する工程と、
前記ノイズ成分の水平方向の強度分布を示し、前記外乱ノイズの到来方向によって変化する水平プロファイルを取得する工程と、
前記外乱ノイズの垂直方向の強度分布を示す垂直プロファイルを取得する工程と、
前記水平プロファイル及び前記垂直プロファイルを用いて、前記放射線画像信号を補正する工程と、を備える。
【００１０】
本発明に係る放射線検出装置は、
マトリックス状に配置された光電変換素子及び前記光電変換素子に対応して配置されたＴＦＴスイッチを有し、外乱ノイズに起因するノイズ成分を含む放射線画像信号を検出する放射線検出部と、
前記外乱ノイズを検出するノイズ検出部と、
前記ノイズ成分の水平方向の強度分布を示し、前記外乱ノイズの到来方向によって変化する水平プロファイルを取得する水平プロファイル取得部と、
前記外乱ノイズの垂直方向の強度分布を示す垂直プロファイルを取得する垂直プロファイル取得部と、
前記水平プロファイル及び前記垂直プロファイルを用いて、前記放射線画像信号を補正する補正部と、を備える。
【発明の効果】
【００１１】
本発明によれば、放射線画像に含まれている外乱ノイズに起因するノイズ成分を精度よく、かつ、再現性よく低減し、高画質の放射線画像を撮影することができる。
【図面の簡単な説明】
【００１２】
【図１】図１は、本発明の一実施の形態に係る放射線画像処理装置を適用したＸ線撮影システムを示す図である。
【図２】図２は、ＦＰＤの外観を示す図である。
【図３】図３は、ＦＰＤの構成を示す図である。
【図４】図４Ａ〜図４Ｃは、ノイズ検出回路の一例を示す図である。
【図５】図５Ａ、図５Ｂは、ＦＰＤの構成要素の配置を示す図である。
【図６】図６は、外乱ノイズに起因するノイズ成分の一例を示す図である。
【図７】図７は、参照画像から得られる基準垂直プロファイルと、そのときのノイズ検出信号の相関関係を示す図である。
【図８】図８は、撮影用制御装置の制御系の主要部を示す図である。
【図９】図９は、撮影用制御装置におけるＸ線画像処理の一例を示すフローチャートである。
【発明を実施するための形態】
【００１３】
以下、本発明の実施の形態を、図面を参照して詳細に説明する。
図１は、本発明の一実施の形態に係る画像処理装置を適用したＸ線撮影システム１を示す図である。Ｘ線撮影システム１では、撮影用制御装置１１及びＦＰＤ１２に、本発明に係る画像処理装置が適用されている。Ｘ線撮影システム１は、Ｘ線発生装置２０とＸ線撮影装置１０との間で互いに信号等をやりとりして、両者が連携しながらＸ線撮影が行われる一体型の撮影システムである。
【００１４】
図１に示すように、Ｘ線撮影システム１は、Ｘ線撮影装置１０及びＸ線発生装置２０を備える。Ｘ線撮影システム１は、通信ネットワークを介して、画像保存通信システム(ＰＡＣＳ：Picture Archiving and Communication Systems)３１、病院情報システム(ＨＩＳ：Hospital Information Systems)３２、及び放射線科情報システム(ＲＩＳ：Radiology Information Systems)３３に接続される。Ｘ線撮影システム１、ＰＡＣＳ３１、ＨＩＳ３２及びＲＩＳ３３を含む通信ネットワークにおいては、例えば、ＤＩＣＯＭ（Digital Image and Communications in Medicine）規格に従って情報の送受信が行われる。
【００１５】
Ｘ線撮影装置１０は、撮影用制御装置１１、ＦＰＤ１２、撮影台１３及び中継器１４等を備える。Ｘ線撮影装置１０は、例えば、胸部、腹部等の撮影対象部位を透過したＸ線を可視化して、体内の状態を示すＸ線画像を撮影する。
【００１６】
ＦＰＤ１２は、Ｘ線管装置２５から照射され被検体を透過したＸ線を検出し、Ｘ線画像信号を出力するＸ線検出装置である。ＦＰＤ１２は、例えば、撮影台１３に装着され、有線通信によって撮影台１３及び中継器１４を介して撮影用制御装置１１と通信可能に接続されている。なお、ＦＰＤ１２は、無線通信によって撮影用制御装置１１と接続されてもよい。ＦＰＤ１２が無線通信機能を有する場合、専用の撮影台１３に装着するのではなく、ＦＰＤ１２を、被検体が仰臥するベッド上に置いたり、被検体自身に持たせたりして使用することもできる。ＦＰＤ１２の具体的な構成については後述する。
【００１７】
図２に示すように、ＦＰＤ１２の受像面側には、グリッド１５が配置される。グリッド１５は、例えば、鉛箔とアルミニウムとをストライプ状に配列した散乱Ｘ線除去用グリッドである。グリッドの仕様（サイズ、密度（１ｃｍあたりの鉛泊の本数）、格子比、焦点距離、素材（グリッドの構成物））は、撮影部位、撮影条件、焦点距離に合わせて適宜選択される。グリッド１５を使用することにより、ＦＰＤ１２の受像面に到達する散乱Ｘ線が低減されるので、高画質のＸ線画像を得ることができる。
【００１８】
また、ＦＰＤ１２の近傍には、グリッド１５を移動させるムービンググリッド装置１６が設置される。格子状のグリッド１５をＦＰＤ１２の前方に配置すると、Ｘ線画像に格子状のパターン（グリッド縞）が周期的なアーチファクトとして描出されるが、ムービンググリッド装置１６によりグリッド１５を一定周期で往復移動させながら撮影することにより、グリッド縞を低減することができる。
一方、ムービンググリッド装置１６は、モーターを駆動源として備えており、非常に大きな交流磁界を生じるため、外乱ノイズ源となりうる。この場合、ＦＰＤ１２によって撮影されるＸ線画像には、例えば、時間方向に商用電源周波数で周期的に変動する画像ノイズが描出される。
【００１９】
撮影台１３は、ＦＰＤ１２の受像面がＸ線管装置２５と対向する姿勢となるように、ＦＰＤ１２を着脱自在に保持する。図１では、撮影台１３として、被検体を立位姿勢で撮影する立位用撮影台を例示している。撮影台１３は、被検体を臥位姿勢で撮影する臥位用撮影台でもよい。撮影台１３は、例えば、有線通信によって中継器１４を介して撮影用制御装置１１と通信可能に接続される。
【００２０】
撮影用制御装置１１は、Ｘ線発生用制御装置２１と連携して放射線撮影システム１を制御する。撮影用制御装置１１は、ＦＰＤ１２に対して検出条件を送信し、設定する。検出条件は、撮影する画像サイズ、フレームレート（動態撮影の場合）、及びＦＰＤ１２で実行される信号処理に関する情報（例えば、増幅器のゲイン等）を含む。撮影用制御装置１１は、ＦＰＤ１２の各動作を制御するとともに、ＦＰＤ１２からＸ線画像データを取得し、所定の画像処理を施して表示部１０３（図８参照）に表示させる。撮影用制御装置１１の詳細については後述する。
【００２１】
なお、撮影用制御装置１１は、Ｘ線発生装置２０の一部を構成してもよい。例えば、撮影用制御装置１１は、Ｘ線発生装置２０のＸ線発生用コンソール２２としての機能を有することができる。
【００２２】
Ｘ線発生装置２０は、Ｘ線発生用制御装置２１、Ｘ線発生用コンソール２２、照射スイッチ２３、高電圧発生装置２４、及びＸ線管装置２５等を備える。
【００２３】
Ｘ線管装置２５は、被検体を挟んでＦＰＤ１２と対向する位置に配置される。Ｘ線管装置２５は、高電圧発生装置２４によって高電圧が印加されることにより、Ｘ線を発生し、被検体に向けて照射する。Ｘ線管装置２５は、Ｘ線の照射野を調整するＸ線可動絞りを含む。
【００２４】
Ｘ線発生用コンソール２２及び照射スイッチ２３は、Ｘ線発生用制御装置２１に信号ケーブルを介して接続される。Ｘ線発生用コンソール２２は、照射条件の入力等を行うための操作卓である。照射スイッチ２３は、Ｘ線の照射を指示するためのスイッチであり、例えば、二段階の自動復帰型押しボタンスイッチで構成される。
【００２５】
Ｘ線発生用制御装置２１は、Ｘ線発生用コンソール２２からの照射条件及び照射スイッチ２３からの制御信号（ウォームアップ開始信号及び照射開始信号）に基づいて、高電圧発生装置２４及びＸ線管装置２５の動作を制御する。照射条件は、例えば、管電圧、管電流、曝射時間、曝射量、セッティングモード、焦点サイズ、フォトタイマー、コリメーターサイズ、フィルター種別、撮影姿勢（立位／臥位）等の複数のパラメーターを含む。
【００２６】
照射条件は、Ｘ線発生用コンソール２２を通じて設定することもできるし、撮影用制御装置１１を利用して設定することもできる。Ｘ線撮影装置１０とＸ線発生装置２０が連携している場合、撮影用制御装置１１において検査オーダーが選択されると、検査オーダーに対応して予め設定されている照射条件がＸ線発生用制御装置２１に自動的に送信され、設定される。この場合、利用者は、Ｘ線発生用コンソール２２を通じて照射条件を微調整することができる。
【００２７】
図３は、ＦＰＤ１２の構成を示す図である。図３に示すように、ＦＰＤ１２は、ＴＦＴパネル２０１、信号読出回路２０４、ゲート駆動回路２０５、信号線ノイズ検出回路２０６、ゲート線ノイズ検出回路２０７、バイアス線ノイズ検出回路２０８、及び３次元磁気センサー２０９等を有する。なお、図３では、ＴＦＴパネル２０１の構成を簡略化して有効画素領域が４×４画素で構成される場合について示しているが、実際には、ＦＰＤ１２の解像度に応じて多数の画素Ｐがマトリックス状に配列されている。
【００２８】
ＴＦＴパネル２０１は、例えば、入射したＸ線を光に変換するシンチレーター（図示略）、画素Ｐごとに配置されたＰＤ（Photo Diode）２０３及びＴＦＴ（Thin Film Transistor）スイッチ２０２、第１方向（水平方向）に延在し各ＴＦＴスイッチ２０２のゲート電極に接続されるゲート線ＧＬ、第１方向と交差する第２方向（垂直方向）に延在し各ＴＦＴスイッチ２０２のドレイン電極に接続される信号線ＳＬ、並びに第１方向に延在し各ＰＤ２０３に接続されるバイアス線ＢＬを有する。ＰＤ２０３の一端は、バイアス線ＢＬを介してバイアス電源に接続され、他端は、ＴＦＴスイッチ２０２のソース電極に接続される。
【００２９】
信号読出回路２０４は、ＴＦＴスイッチ２０２の動作に応じてＰＤ２０３に蓄積された電荷を読み出して、Ｘ線画像信号を撮影用制御装置１１に出力する。信号読出回路２０４には公知の回路を適用できる。信号読出回路２０４は、例えば、電荷を容量に貯めて電圧に変換する積分器、積分器の出力に含まれるノイズを低減するＬＰＦ回路（ＬＰＦ：Low Path Filter）、積分器の出力電圧を保持するＣＤＳ回路（ＣＤＳ：Correlated double sampling）、アナログ電圧をデジタル値に変換するＡ／Ｄ変換器等を有する。
【００３０】
ゲート駆動回路２０５は、ＰＤ２０３に蓄積された電荷を読み出す読出しラインを選択する。ゲート駆動回路２０５の動作により、ＰＤ２０３に蓄積された電荷が１ラインずつ読み出されて、信号読出回路２０４に出力される。
【００３１】
信号線ノイズ検出回路２０６、ゲート線ノイズ検出回路２０７、バイアス線ノイズ検出回路２０８、及び３次元磁気センサー２０９は、外乱ノイズを検出するためのノイズ検出部を構成する。これらのノイズ検出部の検出結果に基づいて、Ｘ線画像に含まれる外乱ノイズに起因するノイズ成分及び外乱ノイズの到来方向（ノイズ源の設置場所）を特定することができる。なお、ノイズ検出部は、外乱ノイズに起因するノイズ成分及び外乱ノイズの到来方向を特定できる構成であればよく、信号線ノイズ検出回路２０６、ゲート線ノイズ検出回路２０７、バイアス線ノイズ検出回路２０８、及び３次元磁気センサー２０９のうち、少なくとも１つを含んでいればよい。
【００３２】
３次元磁気センサー２０９は、外乱ノイズの磁気強度を検出する。図４Ａに示すように、３次元磁気センサー２０９をＴＦＴパネル２０１の周囲に複数（図４Ａでは、ＴＦＴパネル２０１の上下左右に４個）配置した場合、検出結果から外乱ノイズの到来方向を特定することができる。具体的には、ノイズ源に近いほど検出強度が大きくなるので、検出強度が最も大きい３次元磁気センサー２０９が配置されている方向が外乱ノイズの到来方向となる。３次元磁気センサー２０９には、例えば、ループコイル、ホール素子、磁気抵抗素子、磁気インピーダンス等を用いた公知の磁気センサーを適用することができる。
【００３３】
信号線ノイズ検出回路２０６は、ＴＦＴパネル２０１内の信号線ＳＬと結合したノイズ成分ΔＶｓを検出するための回路である。ゲート線ノイズ検出回路２０７は、ＴＦＴパネル２０１内のゲート線ＧＬと結合したノイズ成分ΔＶｇを検出するための回路である。バイアス線ノイズ検出回路２０８は、ＴＦＴパネル２０１内のバイアス線ＢＬと結合したノイズ成分ΔＶｂを検出するための回路である。各ノイズ検出回路２０６〜２０８には、公知の技術を適用することができる。
【００３４】
信号線ノイズ検出回路２０６、ゲート線ノイズ検出回路２０７及びバイアス線ノイズ検出回路２０８の一例を図４Ａ〜図４Ｃに示す。
図４Ａに示す信号線ノイズ検出回路２０６は、すべてのゲート線ＧＬ及びバイアス線ＢＬに接続されるダミー信号線ＤＳＬ、ダミー信号線ＤＳＬと接地との間の浮遊容量に相当する容量Ｃｉｎ、並びに容量Ｃｆを有する積分器ＡＭＰ１を備えている。また、各ゲート線ＧＬとダミー信号線ＤＳＬの間には、ゲート線ＧＬと信号線ＳＬとの間の浮遊容量に相当する容量Ｃｇｓが直列に接続され、各バイアス線ＢＬとダミー信号線ＤＳＬの間には、バイアス線ＢＬと信号線ＳＬとの間の浮遊容量に相当する容量Ｃｂｓが直列に接続されている。
ダミー信号線ＤＳＬには、ＰＤ２０３が接続されていないので、露光の影響を受ｂず、信号線ＳＬと結合したノイズ成分を正確に検出することができる。なお、信号線ノイズ検出回路２０６の積分器ＡＭＰ１は、信号読出回路２０４の読出ＩＣ（ＲＯＩＣ）を利用してもよいし、ノイズ検出専用に設けてもよい。
【００３５】
図４Ｂに示すゲート線ノイズ検出回路２０７は、容量Ｃｆを有する積分器ＡＭＰ２及びゲート線ＧＬと積分器ＡＭＰ２の間に直列に接続される容量Ｃｇｄｅｔを備える。
図４Ｃに示すバイアス線ノイズ検出回路２０８は、容量Ｃｆを有する積分器ＡＭＰ３及びバイアス線ＢＬと積分器ＡＭＰ３の間に直列に接続される容量Ｃｂｄｅｔを備える。
【００３６】
図４Ａでは、信号線ノイズ検出回路２０６、ゲート線ノイズ検出回路２０７及びバイアス線ノイズ検出回路２０８は、いずれもＴＦＴパネル２０１を挟んでゲート駆動回路２０５と反対側（ＴＦＴパネル２０１の右側）に配置されている。以下において、ＴＦＴパネル２０１を基準として信号読出回路２０４が配置されている側を「上」、逆側を「下」、ゲート駆動回路２０５が配置されている側を「左」、逆側（ノイズ検出回路２０６〜２０８が配置されている側）を「右」として説明する。
【００３７】
なお、信号線ノイズ検出回路２０６、ゲート線ノイズ検出回路２０７及びバイアス線ノイズ検出回路２０８の配置は、図５Ａに示す配置態様に限定されない。例えば、信号線ノイズ検出回路２０６は、ＴＦＴパネル２０１の左側、右側又は中央に配置することができる。ただし、信号線ノイズ検出回路２０６をＴＦＴパネル２０１の中央に配置する場合は、線欠陥処理が必要となる。
また、図５Ｂに示すように、ゲート線ノイズ検出回路２０７及びバイアス線ノイズ検出回路２０８において、容量Ｃｇｄｅｔ、Ｃｂｄｅｔは、ＴＦＴパネル２０１の左側及び／又は右側に配置することができる。図５Ｂに示すように、ＴＦＴパネル２０１が左側有効画素領域と右側有効画素領域に分割され、それぞれに対してバイアス電源が設けられている場合、バイアス線ノイズ検出回路２０８は、ＴＦＴパネル２０１の左右両側に配置される。また、ゲート線ノイズ検出回路２０７は、ゲート方向に依存性があるため、ＴＦＴパネル２０１の左右両側に配置することで、外乱ノイズの到来方向を特定しやすくなる。
【００３８】
外乱ノイズに起因するノイズ成分ΔＮは、信号線ＳＬ、ゲート線ＧＬ及びバイアス線ＢＬのそれぞれと結合したノイズ成分ΔＮｓ、ΔＮｇ、ΔＮｂを用いて、下式（１）で表される。
ΔＮ＝ΔＮｓ＋ΔＮｇ＋ΔＮｂ  ・・・（１）
図４Ａに示す信号線ノイズ検出回路２０６の出力値Ｖ１は、信号線ＳＬ、ゲート線ＧＬ及びバイアス線ＢＬのそれぞれと結合したノイズ成分ΔＮｓ、ΔＮｇ、ΔＮｂを含み、下式（２）で表される。
Ｖ１＝（Ｃｉｎ／Ｃｆ）×ΔＮｓ＋ｍ×（Ｃｇｓ／Ｃｆ）×ΔＮｇ＋ｍ×（Ｃｂｓ／Ｃｆ）×ΔＮｂ    ・・・（２）
図４Ｂに示すゲート線ノイズ検出回路２０７の出力値Ｖ２は、ゲート線ＧＬと結合したノイズ成分ΔＮｇを含み、下式（３）で表される。
Ｖ２＝（Ｃｇｄｅｔ／Ｃｆ）×ΔＮｇ    ・・・（３）
図４Ｃに示すバイアス線ノイズ検出回路２０８の出力値Ｖ３は、バイアス線ＢＬと結合したノイズ成分ΔＮｂを含み、下式（４）で表される。
Ｖ３＝（Ｃｂｄｅｔ／Ｃｆ）×ΔＮｂ    ・・・（４）
【００３９】
上式（１）〜（４）より、外乱ノイズに起因するノイズ成分ΔＮを求めることができる。なお、ノイズ成分ΔＮは、信号線ノイズ検出回路２０６、ゲート線ノイズ検出回路２０７及びバイアス線ノイズ検出回路２０８の出力値Ｖ１、Ｖ２、Ｖ３を元に求めることができるが、３次元磁気センサー２０９の検出結果をそのままノイズ成分ΔＮとして用いてもよい。
【００４０】
ノイズ成分ΔＮは、ノイズ源からの交流磁界に起因するので、時間軸方向（ＴＦＴパネル２０１においては、ゲート線の配列方向（ゲート制御方向））に周期性を有している。つまり、座標（ｘ，ｙ）の画素Ｐにおける信号値Ｉ（ｘ，ｙ）（Ｘ線画像信号）には、ΔＮ（ｙ）で表されるノイズ成分が含まれている。したがって、画素Ｐの信号値Ｉ（ｘ，ｙ）からノイズ成分ΔＮ（ｙ）を減算することにより、外乱ノイズの影響を低減することができる。
【００４１】
ここで、外乱ノイズに起因するノイズ成分ΔＮは、単純な水平方向（ゲート線ＧＬに沿う方向）のラインノイズとしてＸ線画像に描出されず、水平方向に強度分布を有する。この水平方向の強度分布は、ＴＦＴパネル２０１の信号線ＳＬ、ゲート線ＧＬ及びバイアス線ＢＬのうち、どの配線と外乱ノイズが強く磁界結合するかによって決まる。例えば、外乱ノイズが信号線ＳＬと結合すると、局所的に画像ノイズが生じ、ゲート線ＧＬと結合するとゲート駆動回路２０５から遠ざかるほど画像ノイズが大きくなるという特徴がある。つまり、Ｘ線画像が受ける外乱ノイズの影響は、外乱ノイズの到来方向によって異なる。そのため、ＴＦＴパネル２０１における水平方向の座標ｘに関わらず、すべての画素Ｐの信号値Ｉ（ｘ，ｙ）からノイズ成分ΔＮ（ｙ）を単純に減算しても、画像ノイズが残存する虞がある。本実施の形態では、水平方向の強度分布を考慮することにより、外乱ノイズに起因するノイズ成分ΔＮをより精度よく低減できるようになっている。
【００４２】
外乱ノイズに起因するノイズ成分ΔＮの一例を図６に示す。図６には、ＴＦＴパネル２０１の上下左右の４方向の何れかから外乱ノイズが到来する場合のノイズ成分ΔＮ１〜ΔＮ４について示している。ノイズ成分ΔＮ１〜ΔＮ４は、例えば、ノイズ源をＦＰＤ１２の上下左右の何れかに配置した状態で、ゲート駆動回路２０６を駆動していないときに信号読出回路２０４で読み出された参照画像から得ることができ、この参照画像から水平プロファイルΔＨ（ｘ）が生成される。参照画像は、ノイズ成分ΔＮのみを含むので、正確に水平プロファイルΔＨ（ｘ）を生成することができる。
【００４３】
図６に示すように、ノイズ源が同じであれば、外乱ノイズの到来方向に関わらず、垂直プロファイルΔＶ（ｙ）は同じになる。一方、ノイズ源が同じであっても、外乱ノイズの到来方向が異なると、水平プロファイルΔＨ（ｘ）は異なる。
座標（ｘ，ｙ）の画素Ｐにおけるノイズ成分ΔＮ（ｘ，ｙ）は、水平方向の強度分布を示す水平プロファイルΔＨ（ｘ）と、垂直方向（時間軸方向）の強度分布を示す垂直プロファイルΔＶ（ｙ）の積で表される。具体的には、ノイズ到来方向が上、下、左、右であるときのノイズ成分ΔＮ１（ｘ，ｙ）、ΔＮ２（ｘ，ｙ）、ΔＮ３（ｘ，ｙ）、ΔＮ４（ｘ，ｙ）は、それぞれ、ΔＨ１（ｘ）×ΔＶ（ｙ）、ΔＨ２（ｘ）×ΔＶ（ｙ）、ΔＨ３（ｘ）×ΔＶ（ｙ）、ΔＨ４（ｘ）×ΔＶ（ｙ）で表される。
【００４４】
Ｘ線を照射して得られるＸ線画像の信号値Ｉ１（ｘ，ｙ）から水平方向の強度分布を考慮したノイズ成分ΔＮ（＝ΔＨ（ｘ）×ΔＶ（ｙ））を減算することにより、Ｘ線画像から精度良くノイズ成分ΔＮを除去することができる。
ここで、水平プロファイルΔＨ（ｘ）は、外乱ノイズの到来方向に応じて予め設定される。一方、垂直プロファイルΔＶ（ｙ）は、Ｘ線画像撮影時に得られるノイズ検出回路２０６〜２０８又は３次元磁気センサー２０９からのノイズ検出信号ΔＮｄｅｔ（ｙ）に基づいて生成される。具体的には、図７に示すように、参照画像から得られる基準垂直プロファイルΔＶｒｅｆ（ｙ）と、そのときのノイズ検出回路２０６〜２０８又は３次元磁気センサー２０９からのノイズ検出信号ΔＮｄｅｔ（ｙ）の相関関係（振幅比Ａ及び位相のずれｙ０）を求めておく。そして、Ｘ線撮影時に得られるノイズ検出回路２０６〜２０８又は３次元磁気センサー２０９からのノイズ検出信号ΔＮｄｅｔ（ｙ）に、求めておいた振幅比Ａ及び位相のずれｙ０を反映させることにより、補正に用いる垂直プロファイルΔＶ（ｙ）（＝Ａ×ΔＮｄｅｔ（ｙ−ｙ０））が生成される。上述した補正処理（ノイズ除去処理）は、例えば、撮影用制御装置１１で行われる。
【００４５】
図８は、撮影用制御装置１１の制御系の主要部を示す図である。図８に示すように、撮影用制御装置１１は、制御部１０１、記憶部１０２、表示部１０３、操作部１０４、通信部１０５、及び画像処理部１０６等を備える。
【００４６】
制御部１０１は、演算／制御装置としてのＣＰＵ（Central Processing Unit）１０１Ａ、主記憶装置としてのＲＯＭ（Read Only Memory）１０１Ｂ及びＲＡＭ（Random Access Memory）１０１Ｃ等を有する。ＲＯＭ１０１Ｂには、基本プログラムや基本的な設定データが記憶される。ＣＰＵ１０１Ａは、ＲＯＭ１０１Ｂから処理内容に応じたプログラムを読み出してＲＡＭ１０１Ｃに展開し、展開したプログラムを実行することにより、撮影用制御装置１１の各機能ブロックの動作を集中制御する。
【００４７】
本実施の形態では、機能ブロックを構成する各ハードウェアと制御部１０１とが協働することにより、各機能ブロックの機能が実現されるが、制御部１０１がプログラムを実行することにより、各機能ブロックの一部又は全部の機能が実現されるようにしてもよい。
【００４８】
記憶部１０２は、例えばＨＤＤ（Hard Disk Drive）、又はＳＳＤ（Solid State Drive）等の補助記憶装置である。記憶部１０２は、ＣＤ（Compact Disc）、ＤＶＤ（Digital Versatile Disc）等の光ディスク、ＭＯ（（Magneto-Optical disk）等の光磁気ディスクを駆動して情報を読み書きするディスクドライブであってもよい。また例えば、記憶部１０２は、ＵＳＢメモリ、ＳＤカード等のメモリカードであってもよい。
【００４９】
記憶部１０２は、制御部１０１で実行される各種プログラムや、プログラムの実行に必要なパラメーター、及び処理結果等のデータを記憶する。記憶部１０２は、例えば、撮影条件データや、ＦＰＤ１２から取得したＸ線画像データ等を記憶する。撮影条件データは、Ｘ線発生装置２０における照射条件のデータ及びＦＰＤ１２における検出条件のデータを含む。
【００５０】
また、記憶部１０２は、ＦＰＤ１２からのＸ線画像データに対して、各種補正処理を行うための画像処理プログラムを記憶している。このプログラムは、例えば、当該プログラムが格納されたコンピューター読取可能な可搬型記憶媒体（光ディスク、光磁気ディスク、及びメモリカードを含む）を介して提供される。また例えば、このプログラムは、当該プログラムを保有するサーバーから、ネットワークを介してダウンロードにより提供することもできる。
【００５１】
さらに、本実施の形態では、記憶部１０２は、外乱ノイズの到来方向と水平プロファイルΔＨ（ｘ）とが対応付けられたルックアップテーブルを記憶している（図６参照）。ルックアップテーブルに登録されている複数の水平プロファイルΔＨ（ｘ）の中から、外乱ノイズの到来方向に応じて、補正に用いる水平プロファイルΔＨ（ｘ）が選定される。また、記憶部１０２は、ノイズ検出回路２０６〜２０８又は３次元磁気センサー２０９からのノイズ検出信号ΔＮｄｅｔ（ｙ）に基づいて垂直プロファイルΔＶ（ｙ）を生成するための情報、すなわち基準垂直プロファイルΔＶｒｅｆ（ｙ）とノイズ検出信号ΔＮｄｅｔ（ｙ）の相関関係を示す振幅比Ａ及び位相のずれｙ０を記憶している（図７参照）。
【００５２】
表示部１０３は、例えば、液晶ディスプレイ、有機ＥＬディスプレイなどのフラットパネルディスプレイで構成される。表示部１０３は、制御部１０１からの表示制御信号に基づいて、検査オーダーの内容や、撮影されたＸ線画像を表示する。検査オーダーは、被検体である患者の患者情報（例えば、患者ＩＤ、患者名、生年月日、性別）、撮影時の姿勢情報（例えば、姿勢（立位／臥位）、照射方向（背面／前面／側面）、撮影部位情報（例えば、胸部）、検査項目（肺換気機能、肺血流など）、被検体の検査履歴（前回検査時の撮影条件など）を含む。
【００５３】
操作部１０４は、カーソルキー、数字入力キー、及び各種機能キー等を有するキーボードと、マウス等のポインティングデバイスで構成される。操作部１０４は、キー操作やマウス操作により入力された操作信号を受け付け、制御部１０１に出力する。利用者は、操作部１０４を通じて、例えば、撮影条件を入力することができる。
なお、表示部１０３及び操作部１０４は、例えば、タッチパネル付きのフラットパネルディスプレイのように一体的に構成されてもよい。
【００５４】
通信部１０５は、例えばＮＩＣ（Network Interface Card）、ＭＯＤＥＭ（MOdulator-DEModulator）、ＵＳＢ（Universal Serial Bus）等の通信インターフェースである。制御部１０１は、通信部１０５を介して、有線／無線ＬＡＮ等のネットワークに接続された装置との間で、ＤＩＣＯＭ規格に従って各種情報の送受信を行う。通信部１０５には、ＮＦＣ（Near Field Communication）やBluetooth（登録商標）等の近距離無線通信用の通信インターフェースを適用することもできる。
【００５５】
画像処理部１０６は、例えば、ＤＳＰ（Digital Signal Processor）、ＡＳＩＣ（Application Specific Integrated Circuit）、ＰＬＤ（Programmable Logic Device）等の、各処理に応じた専用もしくは汎用のハードウェア（電子回路）で構成され、制御部１０１と協働して補正処理を含む所定の画像処理を実現する。
【００５６】
画像処理部１０６は、例えば、撮影されたＸ線画像から、被検体信号以外のアーチファクトや変動要因を除去する補正処理を行う。本実施の形態では、画像処理部１０６は、水平プロファイル取得部１０６Ａ、垂直プロファイル取得部１０６Ｂ及び補正部１０６Ｃを含み、Ｘ線画像に含まれる外乱ノイズに起因するノイズ成分ΔＮを除去できるように構成されている。水平プロファイル取得部１０６Ａ、垂直プロファイル取得部１０６Ｂ及び補正部１０６Ｃの機能については後述する。
【００５７】
Ｘ線撮影システム１により撮影されたＸ線画像データは、撮影中に順次、ＦＰＤ１２から撮影用制御装置１１に送信され、記憶部１０２に格納される。そして、撮影用制御装置１１において、Ｘ線画像データに対して各種画像処理が施され、表示部１１３に表示される。このとき、画像処理部１０６において、適切な補正処理が実施されることにより、Ｘ線画像に含まれる外乱ノイズに起因するノイズ成分ΔＮを適切に除去することができる。具体的には、図９に示すフローチャートに従って、Ｘ線画像処理が行われる。
【００５８】
図９は、撮影用制御装置１１におけるＸ線画像処理の一例を示すフローチャートである。この処理は、例えば、ＣＰＵ１１１Ａが記憶部１０２に格納されている画像処理プログラムを実行することにより実現される。
【００５９】
ステップＳ１０１において、制御部１０１は、ＦＰＤ１２で撮影されたＸ線検出結果を取得する。Ｘ線検出結果は、ＦＰＤ１２の信号読出回路２０４から出力されるＸ線画像信号Ｉ（ｘ，ｙ）、及びノイズ検出回路２０６〜２０８又は３次元磁気センサー２０９から出力されるノイズ検出信号ΔＮｄｅｔ（ｙ）を含む。Ｘ線画像信号Ｉ（ｘ，ｙ）は、被検体信号Ｉ０（ｘ，ｙ）だけでなく、外乱ノイズに起因するアーチファクトを示すノイズ成分ΔＮ（ｘ，ｙ）を含んでいる。
【００６０】
ステップＳ１０２において、制御部１０１は、画像処理部１０６（水平プロファイル取得部１０６Ａ）を制御して、ノイズ源の方向（外乱ノイズの到来方向）を特定する。外乱ノイズの到来方向は、ノイズ検出回路２０６〜２０８及び３次元磁気センサー２０９から出力されるノイズ検出信号ΔＮｄｅｔ（ｙ）に基づいて特定される。例えば、３次元磁気センサー２０９をＴＦＴパネル２０１の上下左右に４つ配置して、下に配置された３次元磁気センサー２０９からのノイズ検出信号ΔＮｄｅｔ（ｙ）の強度（振幅）が最も大きかった場合、ＴＦＴパネル２０１の下側にノイズ源がある（ノイズ到来方向は「下」）ことになる。また例えば、ゲート線ノイズ検出回路２０７及び／又はバイアス線ノイズ検出回路２０８をＴＦＴパネル２０１の左右両側に配置した場合、左右の検出結果と水平プロファイルΔＨ（ｘ）の特徴を比較して、外乱ノイズの到来方向を推定することができる。
【００６１】
ステップＳ１０３において、制御部１０１は、画像処理部１０６（水平プロファイル取得部１０６Ａ）を制御して、補正に用いる水平プロファイルΔＨ（ｘ）を取得する。具体的には、図６に示す４つの水平プロファイルΔＨ１（ｘ）〜ΔＨ４（ｘ）の中から、外乱ノイズの到来方向に対応する水平プロファイルΔＨ（ｘ）が選択される。例えば、ノイズ到来方向が「下」である場合、図６に示す水平プロファイルΔＨ２（ｘ）が選択される。
【００６２】
ステップＳ１０４において、制御部１０１は、画像処理部１０６（垂直プロファイル取得部１０６Ｂ）を制御して、補正に用いる垂直プロファイルΔＶ（ｙ）を取得する。具体的には、ノイズ検出回路２０６〜２０８及び３次元磁気センサー２０９から出力されるノイズ検出信号ΔＮｄｅｔ（ｙ）を元に、基準垂直プロファイルΔＶｒｅｆ（ｙ）との相関関係（振幅比Ａ及び位相のずれｙ０）を用いて補正することにより、垂直プロファイルΔＶ（ｙ）が算出される。
撮影前にノイズ検出回路２０６〜２０８及び３次元磁気センサー２０９（ノイズ検出部）のノイズ検出信号ΔＮｄｅｔ（ｙ）と当該ノイズ検出信号ΔＮｄｅｔ（ｙ）に基づく基準垂直プロファイルΔＶｒｅｆの相関関係を予め取得し、撮影時に得られるノイズ検出部の検出結果と前記相関関係とに基づいて、補正に用いる垂直プロファイルΔＨ（ｘ）を生成することにより、振幅や位相にずれがあっても、ノイズ検出部のノイズ検出信号ΔＮｄｅｔ（ｙ）に基づいて有効画素領域における垂直プロファイルΔＶ（ｙ）を精度良く生成することができる。
【００６３】
ステップＳ１０５において、制御部１０１は、画像処理部１０６（補正部１０６Ｃ）を制御して、Ｘ線画像信号Ｉ（ｘ，ｙ）からノイズ成分ΔＮ（ｘ，ｙ）（＝ΔＨ（ｘ）×ΔＶ（ｙ））を減算する。これにより、Ｘ線画像から、外乱ノイズに起因するノイズ成分が除去される。
【００６４】
ステップＳ１０６において、制御部１０１は、画像処理部１０６を制御して、周波数強調処理や階調処理等の各種画像処理を行う。そして、最終的に生成されたＸ線画像データに基づくＸ線画像を表示部１０３に表示させる。表示されるＸ線画像には外乱ノイズに起因する画像ノイズが描出されないので、読影を妨げない高画質のＸ線画像を得ることができる。
【００６５】
このように、本実施の形態に係る撮影用制御装置１１及びＦＰＤ１２は、マトリックス状に配置されたＰＤ２０２０３（光電変換素子）及びＰＤ２０３に対応して配置されたＴＦＴスイッチ２０２を有するＦＰＤ１２（放射線検出装置）で検出されたＸ線画像信号Ｉ（ｘ，ｙ）（放射線画像信号）に含まれる外乱ノイズに起因するノイズ成分ΔＮ（ｘ，ｙ）を除去するための放射線画像処理装置であって、外乱ノイズを検出するノイズ検出回路２０６〜２０８及び３次元磁気センサー２０９（ノイズ検出部）と、ノイズ成分ΔＮ（ｘ，ｙ）の水平方向の強度分布を示し外乱ノイズの到来方向によって変化する水平プロファイルΔＨ（ｘ）を取得する水平プロファイル取得部１０６Ａと、ノイズ成分ΔＮ（ｘ，ｙ）の垂直方向の強度分布を示す垂直プロファイルΔＶ（ｙ）を取得する垂直プロファイル取得部１０６Ｂと、水平プロファイルΔＨ（ｘ）及び垂直プロファイルΔＶ（ｙ）を用いて、放射線画像信号Ｉ（ｘ，ｙ）を補正する補正部１０６Ｃと、を備える。
【００６６】
また、本実施の形態に係るＸ線画像処理方法（放射線画像処理方法）は、マトリックス状に配置されたＰＤ２０３（光電変換素子）及びＰＤ２０３に対応して配置されたＴＦＴスイッチ２０２を有するＦＰＤ１２（放射線検出装置）で検出された放射線画像信号Ｉ（ｘ，ｙ）に含まれる外乱ノイズに起因するノイズ成分ΔＮ（ｘ，ｙ）を除去するための放射線画像処理方法であって、Ｘ線画像信号Ｉ（ｘ，ｙ）（放射線画像信号）を取得する工程（図９のステップＳ１０１）と、外乱ノイズを検出する工程（図９のステップＳ１０１）と、ノイズ成分ΔＮ（ｘ，ｙ）の水平方向の強度分布を示し外乱ノイズの到来方向によって変化する水平プロファイルΔＨ（ｘ）を取得する工程（図９のステップＳ１０２、Ｓ１０３）と、外乱ノイズの垂直方向の強度分布を示す垂直プロファイルΔＶ（ｙ）を取得する工程（図９のステップＳ１０４）と、水平プロファイルΔＨ（ｘ）及び垂直プロファイルΔＶ（ｙ）を用いて、Ｘ線画像信号Ｉ（ｘ，ｙ）を補正する工程（図９のステップＳ１０５）と、を備える。
【００６７】
実施の形態に係るＸ線撮影システム１及びＸ線画像処理方法によれば、Ｘ線撮影時に得られるノイズ検出信号ΔＮｄｅｔ（ｙ）に基づく垂直プロファイルΔＶ（ｙ）と、予め設定された水平プロファイルΔＨ（ｘ）を用いて、有効画素領域におけるノイズ成分ΔＮ（ｘ，ｙ）が補正されるので、Ｘ線画像に含まれている外乱ノイズに起因するノイズ成分を精度よく、かつ、再現性よく低減し、高画質のＸ線画像を撮影することができる。
暗画像を利用してノイズ成分を除去するのではなく、Ｘ線撮影を行うときに同時に得られるノイズ検出信号ΔＮｄｅｔ（ｙ）を利用してノイズ成分を除去するので、時間的にノイズレベルが変動する外乱ノイズ、特に、商用電源周波数等の低周波数帯、かつ、任意の方向から到来する外乱ノイズに対しても効果的である。また、外乱ノイズ源を物理的に排除する必要はないので、ユーザーの使い勝手が損なわれることもない。
【００６８】
以上、本発明者によってなされた発明を実施の形態に基づいて具体的に説明したが、本発明は上記実施の形態に限定されるものではなく、その要旨を逸脱しない範囲で変更可能である。
【００６９】
例えば、実施の形態では、ノイズ検出部として、ノイズ検出回路２０６〜２０８及び３次元磁気センサー２０９を有する場合について説明したが、ノイズ検出部の構成はこれに限定されない。例えば、ノイズ検出回路２０６〜２０８の検出結果から外乱ノイズの到来方向を特定できる場合は、３次元磁気センサー２０９を設けなくてもよい。また例えば、３次元磁気センサー２０９によって外乱ノイズの強度及び到来方向を特定する場合は、ノイズ検出回路２０６〜２０８を設けなくてもよい。ただし、これの検出結果を相補的に利用することにより、補正精度をより向上することができる。
【００７０】
また、実施の形態では、ノイズ検出回路２０６〜２０８及び３次元磁気センサー２０９の検出結果に基づいて外乱ノイズの到来方向を特定しているが、ユーザーが手動で外乱ノイズの到来方向を設定するようにしてもよい。例えば、ムービンググリッド装置１６が主な外乱ノイズ源となる場合、ムービンググリッド装置１６の設置方向を外乱ノイズの到来方向として設定することができる。
【００７１】
また、水平プロファイルΔＨ（ｘ）が対応付けられる外乱ノイズの到来方向は、ＴＦＴパネル２０１の上下左右の４方向だけなく、奥行きも含めた６方向であってもよい。
【００７２】
また、実施の形態では、本発明を、病院の撮影室に据え置かれる据置型のＸ線撮影システム１に適用した場合について説明したが、回診車に搭載される移動型のＸ線撮影システムに適用することもできる。
【００７３】
また、本発明の放射線画像処理装置の機能をすべてＦＰＤ１２に内蔵してもよい。この場合、外乱ノイズに起因するノイズ成分が除去されたＸ線画像信号（被写体信号）が、ＦＰＤ１２から撮影制御装置１１に出力されることとなる。
【００７４】
また、本発明は、Ｘ線撮影システムに限らず、γ線等の他の放射線を使用した撮影システムに適用することもできる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７６】
１  Ｘ線撮影システム
１０  Ｘ線撮影装置
１１  撮影用制御装置（放射線画像処理装置）
１２  ＦＰＤ（放射線検出装置、放射線画像処理装置）
１３  撮影台
１４  中継器
１５  グリッド
１６  ムービンググリッド装置
２０  Ｘ線発生装置
２１  Ｘ線発生用制御装置
２２  Ｘ線発生用コンソール
２３  照射スイッチ
２４  高電圧発生装置
２５  Ｘ線管装置
１０６  画像処理部
１０６Ａ  水平プロファイル取得部
１０６Ｂ  垂直プロファイル取得部
１０６Ｃ  補正部
２０１  ＴＦＴパネル（検出部）
２０２  ＴＦＴスイッチ
２０３  フォトダイオード
２０４  信号読出回路
２０５  ゲート駆動回路
２０６  信号線ノイズ検出回路（ノイズ検出部）
２０７  ゲート線ノイズ検出回路（ノイズ検出部）
２０８  バイアス線ノイズ検出回路（ノイズ検出部）
２０９  ３次元磁気センサー（ノイズ検出部）
【図１】
2020201229.tif 000003
【図２】
2020201229.tif 000004
【図３】
2020201229.tif 000005
【図４】
2020201229.tif 000006
【図５】
2020201229.tif 000007
【図６】
2020201229.tif 000008
【図７】
2020201229.tif 000009
【図８】
2020201229.tif 000010
【図９】
2020201229.tif 000011